(57)【要約】【課題】本発明は、電磁装置に関し、特に負荷の下で発生した磁気が生じる運動エネルギーの消耗を解決できる電磁装置を提供する。【解決手段】前記電磁装置は、主に対応して運動する固定子及び回転子からなり、本発明の特色は、その内回転子の運動方向及び磁力線の平行に関し、二つの磁気点を生じさせ、且つ固定子或いは回転子である感知コイルモジュールの磁気導体の両端の内前進方向に動きやすい一端に一つの大口径の継鉄を設け、単辺の継鉄を利用して発生した磁気のバランスを崩すことによって、水平ベクトル分力を大きくし、消耗率を低くし、エネルギーの変換率を高めることが可能である。【選択図】図１
2018517392.tif 000002
【特許請求の範囲】
【請求項１】
回転子と定義される一つの磁石モジュールと、固定子と定義される少なくとも一つの感知コイルモジュールと、からなる電磁装置であって、
前記磁石モジュールは、少なくとも一つの磁性部品を備え、且つ隣り合った磁性部品は同極性で向かい合わせる方式で直列に排列され、
また各磁性部品の両磁極及び回転子である磁石モジュールの運動方向は平行状を呈し、
さらに各前記感知コイルモジュールは一つの磁気導体を備え、且つ磁気導体の外周には、一つのコイルが設けられ、
前記コイルの磁気導体上の巻かれた延伸方向と、回転子である磁石モジュールの運動方向は平行状を呈し、
さらに、各前記感知コイルモジュールの磁気導体と異なる磁石モジュールの運動方向の一端には、一つの継鉄が設けられる
ことを特徴とする電磁装置。
【請求項２】
固定子と定義される一つの磁石モジュールと、回転子と定義される少なくとも一つの感知コイルモジュールと、からなる電磁装置であって、
前記磁石モジュールは、少なくとも一つの磁性部品を備え、且つ隣り合った磁性部品が同極性で向かい合わせる方式で直列に配列され、
また各磁性部品の両磁極及び回転子である感知コイルモジュールの運動方向は平行状を呈し、
さらに、各前記感知コイルモジュールは一つの磁気導体を備え、且つ磁気導体の外周には一つのコイルが設けられ、
前記コイルの磁気導体上の巻いた延伸方向と、回転子である感知コイルモジュールの運動方向は平行状を呈し、
さらに、各前記感知コイルモジュールの磁気導体は、感知コイルモジュールの運動方向の一端に設けられた一つの継鉄と対応する
ことを特徴とする電磁装置。
【請求項３】
前記磁石モジュール及び前記感知コイルモジュールに対応する運動は、回転運動である
ことを特徴とする請求項１または２に記載の電磁装置。
【請求項４】
前記磁石モジュール及び前記感知コイルモジュールに対応する運動は、直線性運動である
ことを特徴とする請求項１または２に記載の電磁装置。
【発明の詳細な説明】
【技術分野】
【０００１】
本発明は、電磁技術領域に関し、特に、発生した磁気のバランスを迅速に崩すことができる電磁装置によって、前進する方向の磁気の補助力を高め、負荷の下で発生した磁気が生じる運動エネルギーの消耗を減らすことができ、エネルギーの変換効率を高めることができる電磁装置に関する。
【背景技術】
【０００２】
一般的な電磁装置は、フレミングの右手の法則に基づいており、それは通常、一対の対応した運動及び磁力線が垂直状態を呈した構造であり、前記電磁装置は、向かい合った少なくとも一つの磁石モジュール及び少なくとも一つの感知コイルモジュールからなり、それはそれぞれ回転子及び固定子と定義されており、感知コイルモジュール磁力線が切れて電圧を発生させ、発電の目的を達成することができる。
【０００３】
この感知コイルモジュールが負荷に接続されてから、アンペアの右手の法則に基づいて電流及び電磁を発生させるとともに、感知コイルモジュールに磁性を発生させ、感知コイルモジュールを経由した磁石モジュール磁力線及び相対する運動方向は垂直交錯状態を呈し、その発生した磁気は一つの吸着点で垂直状を呈すため、その発生した磁気は強吸を引き起こしやすく、故にその垂直方向の力が大きく、水平方向の運動に不都合であり、前進運動を阻む作用が発生し、さらにその一つの吸着点しかないため、負荷の下で更に発生した磁気が生じさせる運動エネルギーの大幅な消耗が起きる。
【０００４】
前記運動エネルギーの消耗が発生してから、一つには、前記電磁装置内で作動する回転子の入力の運動エネルギーを大きくする必要があり、省力発電の要求を満たすことができず、二つには、磁気が増加して運動エネルギーが消耗する影響を受けて、その運転のスピードも落ち、ひいては運動エネルギーの変換効率にも影響を与える。
【０００５】
言い換えると、発生した磁気のバランス状態を迅速に崩し、且つその前進する運動方向の磁気の補助力を高めることができれば、発生した磁気の運動エネルギーの消耗を減らすことが可能であると信じ、さらにその運動エネルギーの変換率を高めることができ、この目的は業界が開発を切望していると信じる。
【０００６】
この事に鑑みて、本発明者は、前記のような現存する電磁装置の応用において直面する問題について深い研究を行うとともに、長年関係する業務に従事してきた研究開発の経験によって、積極的に解決の道を探り、不断の研究及び試作の努力によって、ついにエネルギーの変換率を高めることが可能な電磁装置を開発することに成功し、現存する磁気が増加して運動エネルギーが消耗することによって引き起こされる不都合及び面倒を克服することができる。
【発明の概要】
【発明が解決しようとする課題】
【０００７】
それゆえ、本発明は、発生した磁気バランスを迅速に崩す電磁装置によって、省力で駆動できる効果を生じ、運動エネルギーの消耗を減らし、エネルギーの変換率を高めることができる電磁装置を提供することを目的とする。
【０００８】
また、本発明のもう一つの主な目的は、対応した前進する運動の磁気の補助力を強くすることができる電磁装置によって、二つの磁気点を利用して、運動方向のベクトル分力を大きくし、運動エネルギーを高め、さらにエネルギーの変換率を高めることができる電磁装置を提供することを目的とする。
【課題を解決するための手段】
【０００９】
これによって、本発明は主に以下に述べる技術手段によって、前記の目的及びその効果を実現することができる。
【００１０】
電磁装置であって、前記電磁装置は、一つの回転子と定義される磁石モジュールと、固定子と定義される少なくとも一つの感知コイルモジュールと、からなる。
【００１１】
前記磁石モジュールは、少なくとも一つの磁性部品を備え、且つ隣り合った磁性部品は同極性で向かい合わせて直列に配列され、また各磁性部品の両磁極及び回転子である磁石モジュールの運動方向は平行状を呈し、さらに各前記感知コイルモジュールは一つの導磁体を備え、且つ導磁体の外周に一つのコイルが設けられ、前記コイルの導磁体上の巻いた延伸方向と、回転子である磁石モジュールの運動方向は平行状を呈し、さらに各前記感知コイルモジュールの導磁体と異なる磁石モジュールの運動方向の一端には一つの大口径の継鉄が設けられる。
【００１２】
電磁装置であって、前記電磁装置は、一つの固定子と定義される磁石モジュールと、回転子と定義される少なくとも一つの感知コイルモジュールと、からなる。
【００１３】
前記磁石モジュールは、少なくとも一つの磁性部品を備え、且つ隣り合った磁性部品は同極性を向かい合わせる方式で直列に配列され、また各磁性部品の両磁極及び回転子である感知コイルモジュールの運動方向は平行状を呈し、さらに各前記感知コイルモジュールは一つの導磁体を備え、且つ導磁体の外周には一つのコイルが設けられ、前記コイルの導磁体上の巻いた延伸方向と、回転子である感知コイルモジュールの運動方向は平行状を呈し、さらに各前記感知コイルモジュールの導磁体に向かい合う感知コイルモジュールの運動方向の一端には一つの大口径の継鉄が設けられる。
【００１４】
さらに詳しく言うと、前記磁石モジュール及び前記感知コイルモジュールに対応する運動は回転運動である。
【００１５】
さらに詳しく言うと、前記磁石モジュール及び前記感知コイルモジュールの対応する運動は直線性運動である。
【発明の効果】
【００１６】
これによって、前記の技術手段の登場により、本発明は磁石モジュールの磁性部品の磁力線及び感知コイルモジュールのコイルの設置方向と運動方向は平行を呈することによって、二つの磁気点を生じさせることができ、同時に感知コイルモジュールの導磁体の一端に大口径の継鉄を設ける設計によって、前記大口径の継鉄を利用して両端に発生した磁気力のバランスを崩すことによって、水平ベクトル分力を大きくすることができ、また効果的にエネルギーの消耗率を低くすることができるため、省力で駆動させることができるという効果があり、同時に大きくした運動方向のベクトル分力によって、運動エネルギーを高め、且つ慣性の加速により、効率的に大電流を発生させ、発電量を増加させる効果があり、さらに一歩進んでエネルギーの変換率を高め、発電能力を高め、大幅にその付加価値を増加させるとともに、経済効果を高めることができる。
【００１７】
審査員の方にさらに本発明の構造、特徴、その他の目的について分かっていただけるように、以下では本発明の好ましい実施例を挙げるとともに、図を参照しながら詳細な説明を行い、同時に前記分野の領域の技術者が具体実施についてさらに分かるようにする。
【図面の簡単な説明】
【００１８】
【図１】本発明の電磁装置の架構概略図である。
【図２Ａ】本発明の電磁装置において磁石モジュールが回転子である場合の動作概略図であり、磁石モジュールのＳ極からＮ極の状態を説明するのに用いる。
【図２Ｂ】本発明の電磁装置において磁石モジュールが回転子である場合の動作概略図であり、磁石モジュールのＳ極からＮ極の状態を説明するのに用いる。
【図２Ｃ】本発明の電磁装置において磁石モジュールが回転子である場合の動作概略図であり、磁石モジュールのＳ極からＮ極の状態を説明するのに用いる。
【図３Ａ】本発明の電磁装置において磁石モジュールが回転子である場合の動作概略図であり、磁石モジュールのＮ極からＳ極の状態を説明するのに用いる。
【図３Ｂ】本発明の電磁装置において磁石モジュールが回転子である場合の動作概略図であり、磁石モジュールのＮ極からＳ極の状態を説明するのに用いる。
【図３Ｃ】本発明の電磁装置において磁石モジュールが回転子である場合の動作概略図であり、磁石モジュールのＮ極からＳ極の状態を説明するのに用いる。
【図４Ａ】本発明の電磁装置において感知コイルモジュールが回転子である場合の動作概略図であり、磁石モジュールのＮ極からＳ極の状態を説明するのに用いる。
【図４Ｂ】本発明の電磁装置において感知コイルモジュールが回転子である場合の動作概略図であり、磁石モジュールのＮ極からＳ極の状態を説明するのに用いる。
【図４Ｃ】本発明の電磁装置において感知コイルモジュールが回転子である場合の動作概略図であり、磁石モジュールのＮ極からＳ極の状態を説明するのに用いる。
【図５Ａ】本発明の電磁装置において感知コイルモジュールが回転子である場合の動作概略図であり、磁石モジュールのＳ極からＮ極の状態を説明するのに用いる。
【図５Ｂ】本発明の電磁装置において感知コイルモジュールが回転子である場合の動作概略図であり、磁石モジュールのＳ極からＮ極の状態を説明するのに用いる。
【図５Ｃ】本発明の電磁装置において感知コイルモジュールが回転子である場合の動作概略図であり、磁石モジュールのＳ極からＮ極の状態を説明するのに用いる。
【発明を実施するための形態】
【００１９】
本発明の電磁装置において、付属する図、例示する本発明の具体実施例及びその構造の内、すべての前後、左右、先端部及び底部、上部及び下部、そして水平及び垂直に関する参考図は、説明しやすくするために用いるに過ぎず、本発明に制限を加えるものでは決してなく、またその位置或いは空間方向にいかなる制限を加えるものではない。図及び明細書中で指定した寸法は、本発明の特許申請範囲を超えない範囲内において、本発明の具体実施例の設計及び必要に応じて変化を加えることができる。
【００２０】
本発明の電磁装置の構造は、図１に示すように、磁石モジュール１０と、少なくとも一つの感知コイルモジュール２０と、からなる。また前記磁石モジュール１０は、それぞれ回転子或いは固定子と定義され、また前記感知コイルモジュール２０は、それぞれ固定子或いは回転子と定義され、磁石モジュール１０及び感知コイルモジュール２０は回転或いは直線性の対応した運動を発生させることができる。
【００２１】
また本発明の特色として、磁石モジュール１０は少なくとも一つの磁性部品１１を備え、且つ隣り合った磁性部品１１は、同極性で向かい合わせる方式で直列に配列され、且つ各磁性部品１１の両磁極（Ｎ極及びＳ極）及び回転子である磁石モジュール１０或いは感知コイルモジュール２０の運動方向は平行状を呈す。さらに各前記感知コイルモジュール２０は一つの磁気導体２１を備え、且つ磁気導体２１の外周には一つのコイル２２が設けられ、前記コイル２２の磁気導体２１上の巻いた延伸方向と、回転子である磁石モジュール１０或いは感知コイルモジュール２０の運動方向は平行状を呈し、さらに各前記感知コイルモジュール２０の磁気導体２１は運動方向を補助する磁気の補助力を発生させることができ、一端には一つの大口径の継鉄２５が設けられ、例えば磁石モジュール１０が回転子であり、感知コイルモジュール２０が固定子である時、継鉄２５は磁気導体２１と異なる磁石モジュール１０運動方向の一端（図２Ａから図２Ｃ、図３Ａから図３Ｃを参照する）に設けられ、固定された感知コイルモジュール２０に、磁石モジュール１０が吸着して移動する作用力を増加させることができる。反対に感知コイルモジュール２０が回転子であり、磁石モジュール１０が固定子である時、継鉄２５は磁気導体２１に向かい合う感知コイルモジュール２０の運動方向の一端（図４Ａから図４Ｃ、図５Ａから図５Ｃを参照する）に設けられ、固定された磁石モジュール１０は、感知コイルモジュール２０に吸着して移動する作用力を増加させることができる。
【００２２】
これによって、モジュールの構造は前進する磁気の補助力を増加させることができ、且つ運動エネルギーを消耗する電磁装置を減らすことができる。
【００２３】
本発明の電磁装置の実際の運用についてであるが、まず磁石モジュール１０が回転子であり、感知コイルモジュール２０が固定子である場合を例として説明を行う。図２Ａから図２Ｃ、図３Ａから図３Ｃに示すように、磁石モジュール１０が感知コイルモジュール２０に対応して移動した時、その内一つの磁性部品１１のＳ極が前記磁性部品１１のＮ極に移動した時、磁石モジュール１０の磁性部品１１の磁力線及び運動方向は平行であり、それゆえ対応して感知コイルモジュール２０は二つの磁気点（図２Ａを参照する）を発生させる。この時もし感知コイルモジュール２０に負荷が接続されれば、磁石モジュール１０は対応して前方の方向に動き、発生した磁気が生じる逆方向の力が順方向の力より大きくなるため、この時感知コイルモジュール２０のコイル２２は負荷に接続しない。また、それは二つの磁気点を備えるため、その両端に発生する磁気力のバランスがとれている時、図２Ｂが示すように、前記磁石モジュール１０の場所にはゼロトルク状態であり、発生した磁気の影響を受けない。また感知コイルモジュール２０のコイル２２が負荷に接続される時、図２Ｃが示すように、感知コイルモジュール２０の磁気導体２１における磁石モジュール１０運動方向と異なる一端に大口径の継鉄２５を備えるため、磁石モジュール１０は対応して運動前の方向に動き、それにより、発生した磁気が生じさせる順方向の力が逆方向の力より大きくなるようにさせ、また、感知コイルモジュール２０の磁気導体２１の継鉄２５が発生した磁気のバランス関係を迅速に崩させ、しいては磁石モジュール１０が速く動くようにし、磁石モジュール１０が運動方向へ前進する磁気の補助力を強めることができる。
【００２４】
さらに、磁性部品１１のＮ極が前記磁性部品１１のＳ極に移動する時、図３Ａから図３Ｃが示すように、前記磁石モジュール１０の磁性部品１１の磁力線及び運動方向は平行であり、それゆえ感知コイルモジュール２０が発生させる二つの磁気点（図３Ａを参照する）に対応し、この時もし感知コイルモジュール２０が負荷に接続されれば、磁石モジュール１０は対応して前の方向に動き、発生した磁気が発生させる逆方向の力が順方向の力より大きくなるようにし、故にこの時感知コイルモジュール２０のコイル２２は負荷に接続されない。また、それは二つの磁気点を備えるため、その両端に発生した磁気力がバランスを保っている時、図３Ｂが示すように、前記磁石モジュール１０の場所はゼロトルク状態であり、発生した磁気の影響を受けない。また感知コイルモジュール２０のコイル２２が負荷に接続される時、図３Ｃが示すように、感知コイルモジュール２０の磁気導体２１は磁石モジュール１０の運動方向と異なる一端に大口径の継鉄２５を備えるため、磁石モジュール１０は対応して前の方向に動き、更に発生した磁気が発生させる順方向の力が逆方向の力より大きくなるようにし、感知コイルモジュール２０の磁気導体２１の継鉄２５が発生した磁気のバランス関係を迅速に崩し、同様に磁石モジュール１０を素早く動かすことができ、それによって磁石モジュール１０が運動方向へ前進する磁気の補助力を強めることができる。
【００２５】
さらに本発明の電磁装置の実際の磁石モジュール１０が固定子であり、感知コイルモジュール２０が回転子である時、４Ａから図４Ｃ、図５Ａから図５Ｃが示すように、感知コイルモジュール２０が磁石モジュール１０に対応して移動し、且つ感知コイルモジュール２０の内一つの磁性部品１１のＮ極が前記磁性部品１１のＳ極に移動した時、磁石モジュール１０の磁性部品１１の磁力線及び運動方向は平行であるため、感知コイルモジュール２０に対応して二つの磁気点（図４Ａを参照する）を発生させることができ、この時もし感知コイルモジュール２０負荷に接続されなければ、感知コイルモジュール２０は対応して前進方向に運動し、発生した磁気が発生させる逆方向の力が順方向の力より大きくなるようにするため、この時感知コイルモジュール２０のコイル２２は負荷に接続しない。またその二つの磁気点を備えるため、その両端に発生した磁気力がバランスを保っている時、図４Ｂが示すように、前記感知コイルモジュール２０の場所はゼロトルク状態であり、発生した磁気の影響を受けず、感知コイルモジュール２０のコイル２２が負荷に接続される時、図４Ｃが示すように、感知コイルモジュール２０の磁気導体２１に対応した感知コイルモジュール２０の運動方向の一端に大口径の継鉄２５が設けられるため、感知コイルモジュール２０は対応して前進方向に運動し、更に発生した磁気が発生させる順方向の力が逆方向の力より大きくなるようにさせ、また感知コイルモジュール２０の磁気導体２１の継鉄２５が発生した磁気のバランス関係を迅速に崩し、感知コイルモジュール２０が素早く動かされ、感知コイルモジュール２０が運動方向へ前進する磁気の補助力を高めることができる。
【００２６】
さらに、感知コイルモジュール２０が磁石モジュール１０の磁性部品１１のＳ極から前記磁性部品１１のＮ極に移動した時、図５Ａから図５Ｃが示すように、前記磁石モジュール１０の磁性部品１１の磁力線及び運動方向は平行であるため、感知コイルモジュール２０に対応して二つの磁気点（図５Ａを参照する）を生じさせ、この時もし感知コイルモジュール２０が負荷に接続されれば、感知コイルモジュール２０は対応して前進方向に運動し、発生した磁気が生じる逆方向の力が順方向の力より大きいため、この時感知コイルモジュール２０のコイル２２は負荷に接続されない。また二つの磁気点を備えるため、その両端に発生した磁気力がバランスを保っている時、図５Ｂが示すように、前記感知コイルモジュール２０の場所はゼロトルク状態であり、発生した磁気の影響を受けない。また感知コイルモジュール２０のコイル２２が負荷に接続される時、図５Ｃが示すように感知コイルモジュール２０の磁気導体２１は、感知コイルモジュール２０の運動方向の一端に設けられた大口径の継鉄２５に対応するため、感知コイルモジュール２０は対応して前進方向に運動し、更に発生した磁気が生じる順方向の力が逆方向の力より大きくなるようにさせ、感知コイルモジュール２０の磁気導体２１を利用して継鉄２５が発生した磁気のバランス関係を迅速に崩すことができ、同様に感知コイルモジュール２０を迅速に動かすことができ、しいては感知コイルモジュール２０が運動方向へ前進する磁気の補助力を高めることができる。
【００２７】
上記をまとめると、磁石モジュール１０の磁性部品１１の磁力線及び感知コイルモジュール２０のコイル２２の設置方向及び運動方向が平行を呈することによって、二つの磁気点を生じさせ、同時に感知コイルモジュール２０の磁気導体２１の一端に大口径の継鉄２５を設ける設計によって、また能前記大口径の継鉄２５を利用して両端に発生した磁気力のバランスを崩すことによって、水平ベクトル分力を大きくさせることができ、効果的に消耗率を下げることができるため、省力で駆動させることが可能という効果があり、同時に運動方向のベクトル分力を大きくすることで、運動エネルギーを高め、且つ慣性加速によって、効率的に大電流を発生させることができ、発電量の効率を高め、しいてはエネルギーの変換率を向上させることができる。
【００２８】
上記実施例及び図式は、本発明の製品形態及びタイプを限定するものでは決してなく、技術領域に属する一般的な技術者が行う適当な変更或いはアレンジもすべて、本発明の特許範囲に含まれるものとみなす。
【符号の説明】
【００２９】
１０    磁石モジュール                                
１１    磁性部品
２０    コイルモジュール                                
２１    磁気導体
２２    コイル                                    
２５    継鉄
【図１】
2018517392.tif 000003
【図２Ａ】
2018517392.tif 000004
【図２Ｂ】
2018517392.tif 000005
【図２Ｃ】
2018517392.tif 000006
【図３Ａ】
2018517392.tif 000007
【図３Ｂ】
2018517392.tif 000008
【図３Ｃ】
2018517392.tif 000009
【図４Ａ】
2018517392.tif 000010
【図４Ｂ】
2018517392.tif 000011
【図４Ｃ】
2018517392.tif 000012
【図５Ａ】
2018517392.tif 000013
【図５Ｂ】
2018517392.tif 000014
【図５Ｃ】
2018517392.tif 000015
【国際調査報告】
2018517392.tif 000016
2018517392.tif 000017
2018517392.tif 000018
2018517392.tif 000019